(57)【要約】【課題】  煩雑なプレコンディショニング作業や電気ポシッシャーによる洗浄作業、およびエクストラクションマシンによる洗浄、すすぎ作業等を行わなくても、汚れを取り除くことができる簡便なカーペット用洗浄剤組成物およびそれを用いたカーペットの維持管理方法の提供。【解決手段】  （Ａ）平均分子量（Ｍｗ）が２，０００〜３０，０００でガラス転移点（Ｔｇ）が５０〜１５０℃であるアルカリ可溶性樹脂０．１〜２０質量％、（Ｂ）コロイダルシリカを固形分として０．０１〜１０質量％、（Ｃ）界面活性剤０．１〜１０質量％、および（Ｄ）水を含有し、ＪＩＳ  Ｚ−８８０２：１９８４「ｐＨ測定方法」におけるｐＨが６〜９であることを特徴とするカーペット用洗浄剤組成物。また、これを用いたカーペットの維持管理方法。【選択図】    なし【特許請求の範囲】
【請求項１】
（Ａ）平均分子量（Ｍｗ）が２，０００〜３０，０００でガラス転移点（Ｔｇ）が５０〜１５０℃であるアルカリ可溶性樹脂０．１〜２０質量％、（Ｂ）コロイダルシリカを固形分として０．０１〜１０質量％、（Ｃ）界面活性剤０．１〜１０質量％、および（Ｄ）水を含有し、ＪＩＳ  Ｚ−８８０２：１９８４「ｐＨ測定方法」におけるｐＨが６〜９であることを特徴とするカーペット用洗浄剤組成物。
【請求項２】
表面張力が３０ｄｙｎ／ｃｍ以下であることを特徴とする請求項１に記載のカーペット用洗浄剤組成物。
【請求項３】
請求項１又は２に記載のカーペット用洗浄剤組成物の原液または水で希釈した希釈洗浄液をカーペット表面に噴霧する行程と、カーペット用ブラシを用いてブラッシングし、カーペットの汚れを該原液または希釈洗浄液に内包させる行程と、該原液または希釈洗浄液の乾燥後に、カーペットの毛足の表面で汚れを内包して乾燥固化した組成物をブラシ付きの真空掃除機を用いて吸引除去する行程を含むことを特徴とするカーペットの維持管理方法。
【請求項４】
ブラシを有するカーペット洗浄機により、請求項１又は２に記載のカーペット用洗浄剤組成物の原液または水で希釈した希釈洗浄液をカーペット表面に噴霧しながら、ブラッシングし、カーペットの汚れを該原液または希釈洗浄液に内包させる行程と、カーペット表面における該原液または希釈洗浄液の乾燥後に、カーペットの毛足の表面で汚れを内包して乾燥固化した組成物をブラシを有するカーペット掃除機によって吸引除去する行程を含むことを特徴とするカーペットの維持管理方法。
【請求項５】
請求項１又は２に記載のカーペット用洗浄剤組成物の原液または水で希釈した希釈洗浄液をカーペット表面に噴霧し、ポリッシャーに装着されたマイクロファイバーパッドにより、カーペットの汚れを捕集しながら、カーペットの汚れを該原液または希釈洗浄液に内包させる行程と、カーペット表面における該原液または希釈洗浄液の乾燥後に、カーペットの毛足の表面で汚れを内包して乾燥固化した組成物をブラッシング機構を兼ね備えた真空掃除機によって吸引除去する工程を含むことを特徴とするカーペットの維持管理方法。
【発明の詳細な説明】
【技術分野】
【０００１】
本発明は、特に建物内部の床に施工されるカーペットに用いることにより、汚れの除去効果を有し、液状、あるいは粘着状でベタつきがある洗剤分（界面活性剤の残留分）がカーペットに残留することによる汚染（再汚染）を防ぎ、清浄なカーペットの状態を維持できるカーペット用洗浄剤組成物、およびカーペットの維持管理方法に関するものである。
【背景技術】
【０００２】
カーペットは、その外観や歩行感、保温性、および安全性等において他の床材より優れており、従来より、ホテルやオフィスビル、百貨店、会館、空港、その他、娯楽施設等の建物内部の有用な床材として多用されてきた。また近年、小売店舗やスーパーマーケット、およびショッピングモール等が大型化される中、上記のカーペットの特性が見直され、特に、タイル状のカーペットが広範囲に施工されつつある。上記のような、カーペット施工現場での維持、管理は、ほとんどがその場でカーペットを洗浄する洗浄方法であり、カーペット洗剤とカーペット洗浄機器類、ツールなどを組合わせて、カーペットの材質や汚染状況、および施工現場の歩行量による汚染の傾向等を把握し、より適切な洗浄方法で維持・管理してきた。
【０００３】
上記のようなカーペット施工現場での日常清掃は、真空掃除機を用いたチリ、ホコリ、および土砂汚れの除去と、シミとり剤によるシミ抜き作業が主な業務である。  さらには、定期洗浄作業として以下のようなカーペット洗浄を実施している。
その洗浄方法は、主に以下の（１）〜（４）のとおりである。
【０００４】
（１）シャンプー式洗浄方法：この方法は、プレコンディショニング作業としてまずカーペット用洗剤の希釈液を７０〜９０ｇ／ｍ２の割合で被洗浄面にスプレーしてからしばらく放置した後、カーペットシャンプーと呼ばれる洗浄剤を２００〜３００ｇ／ｍ２の割合で、フロアポリッシャー洗浄機から被洗浄面に噴出し、同洗浄機に装着したナイロンブラシでよく泡立たせながら洗浄する。その後、エクストラクションマシンというカーペット専用のすすぎ機で、すすぎ水を噴きつけ、同時に洗浄汚水を回収しながら、被洗浄面をすすぐ方法である。
【０００５】
この洗浄方法は、カーペットが最も汚染した場合に用いられる。長所としては、洗浄力が優れていることがあげられる。しかし、短所としてカーペットを濡らして行うため、通常、６時間以上の乾燥時間を要し、その間歩行はできない。特にウールカーペットにおいては、裏地が麻で構成されており、カーペットを過剰に濡らしてしまうとそれが原因でカーペットが縮んでしまったり、麻の成分のリグニンという褐色の色素が、乾燥後、カーペットの表面に浮き上がってシミを形成するような不具合も起こり得る。
【０００６】
なお、上記洗浄方式に用いられるシャンプー用洗浄剤は、起泡性に優れた陰イオン界面活性剤と、泡安定性に優れた脂肪酸アルカノールアミドやアミンオキサイド等の泡安定剤、さらには洗浄、すすぎ後、少しでもカーペットに残留する界面活性剤の残留分のベタつきによるカーペットの再汚染を防ぐために、アクリル樹脂系のアルカリ塩を配合する洗浄剤も多くみられる。
【０００７】
（２）ヤーンパッド（ボンネットバフィング）式洗浄方法：この洗浄方法は、最初に長い繊維の毛足で円形状に構成されたパッド（「ヤーンパッド」という）に用いられるパッド用洗浄剤の希釈液を７０〜９０ｇ／ｍ２の割合でカーペットにプレコンディショニング作業をした後、さらに同洗剤をヤーンパッドに充分に噴きつけ、該パッドを充分湿らせた後、ポリッシャーに装着、回転させて洗浄し、カーペットの汚れをヤーンパッドに吸着させ、そのままカーペットを乾燥して仕上げる方法である。
【０００８】
この洗浄方法の長所としては、上述のシャンプー式洗浄方法に比べて、洗浄剤の使用量が少なく、乾燥時間は１〜２時間と短く、カーペットの縮みやシミの発生もなく、より簡便に作業ができる。短所としては、汚れがひどい場合ヤーンパッドへの移行が完全とはいえず、ヤーンパッドに吸着しきれなかった汚れや洗浄剤成分がカーペットに残留して、洗浄後の歩行による再汚染を引き起こすことがある。
上記洗浄方式に用いられるヤーンパッド用洗浄剤は、界面活性剤と再汚染を防ぐために、アクリル樹脂系のアルカリ塩を配合するものが多くみられる。
【０００９】
（３）エクストラクション式洗浄方法：この洗浄方法は、まずカーペット用洗剤の希釈液を７０〜９０ｇ／ｍ２の割合でカーペットにプレコンディショニング作業をした後、エクストラクションマシンで洗剤液を３００〜５００ｇ／ｍ２の割合でカーペットに噴きつけながら、ブラッシング洗浄を行うと同時に洗浄汚水を回収し被洗浄面をすすぐ方法である。
【００１０】
この洗浄方法の長所は、洗浄力がヤーンパッド式洗浄方法より優れており、洗浄汚水の回収率が高い点があげられる。短所としてはカーペットを濡らして行うため、通常６時間以上の乾燥時間を必要とし、特にウールカーペットを洗浄した際の、変色や縮みの危険性が挙げられる。
なお、上記洗浄方式に用いられるエクストラクション用洗浄剤には、作業時の泡立ちを抑え、所望の洗浄汚水の回収率を得るために、低泡性の非イオン系界面活性剤や消泡剤を配合したものが広く用いられている。またアクリル樹脂系のアルカリ塩を配合するものもある。
【００１１】
（４）パウダー式洗浄方法：この洗浄方法は、オガクズ等の微粒子状の繊維チップやウレタン等の合成樹脂チップ、およびボウ硝等の無機系パウダー等に、洗剤分（約４０質量％／オガクズチップの場合）を含有させたパウダー洗浄剤（オガクズチップの場合）をカーペットに１２０〜１５０ｇ／ｍ２の割合で散布して、専用のブラシ付き洗浄機で洗浄し、カーペットの汚れをパウダーに吸着させた後、真空掃除機で回収する洗浄方法である。
【００１２】
この洗浄方法の長所は、カーペットがあまり濡れることがないため、洗浄中でも歩行ができ、また洗浄後のカーペットの乾燥が最も早く、かつカーペットを傷めにくい洗浄方式である。短所はひどい汚れに対する洗浄力に乏しく、また、真空掃除機では完全に回収できなかった微粉末がカーペット繊維に残留、堆積してカーペットの美観を損ねたり、残留したパウダーによる粉塵の発生原因になる場合がある。
上記洗浄方式に用いられるパウダー用洗浄剤の洗浄成分としては、微量の界面活性剤や溶剤、弱アルカリ成分、および水などがあげられる。
【００１３】
このように、従来から用いられてきたカーペットの洗浄方法（１）〜（４）には、それぞれ一長一短がある。
なかでも（１）シャンプー式洗浄方法及び（３）エクストラクション式洗浄方法においては、特に、洗浄後のカーペットの乾燥時間が長いことや、洗浄剤成分の残留による再汚染の問題があげられる。さらに、ポリッシャーやエクストラクション等の洗浄機を適切に稼動するための作業技術も要求される一方、作業内容が煩雑でかつ重労働な作業であるために、作業者にとってはカーペットを清浄に管理、保守する上で、大きな課題であり、現在、なおこのような状況を打破、解決するようなカーペット洗浄剤や簡便な洗浄方法を得るには至っていない。
【００１４】
また、現状のカーペット洗浄剤としては、洗浄剤成分の残留による再汚染を防止する目的で、アクリル系重合体やスチレンアクリル共重合体などのポリマー類を加え、界面活性剤の残留分を乾燥した固形化状態にすることにより、ベタつきを抑え汚染防止することを目的とした特許出願が下記のように開示されている。
【００１５】
特公昭５７−２９５１９号公報にはアニオン性または非イオン性洗浄剤からなる少なくとも一種の洗浄剤と、（１）スチレン、（２）エチレン性不飽和モノカルボン酸および（３）任意的に粘度調整単量体の共重合体との水性溶液からなる織物処理用組成物をラグまたはカーペットに適用し、刷毛、スポンジまたは同様なもので表面に加工し、処理した織物を次いで乾燥させ、乾燥により実質上連続フィルムをそれぞれの繊維の周りに形成させた織物処理用組成物が開示されている。（特許文献１を参照。）
【００１６】
また特表平１０−５０１８４５号公報には、エチレングリコールｎ−ヘキシルエーテル約０．５〜約６．０重量％、乾燥すると撥水および撥油性表面を形成する水溶性または水混和性フッ素化炭化水素約０．０５〜約２．０重量％、非イオン界面活性剤及びその混和物からなる群から選ばれる界面活性剤約０．２５〜約５．０重量％、そして酸価約１０〜約４５０をもつオレフィン／アクリル重合体約０．５〜約７．０重量％からなる水性絨毯洗浄および回復組成物が開示されている。（特許文献２を参照。）
【００１７】
さらに特表２００３−５２５９５０号公報には、（ａ）メタクリル酸ポリマー成分と、（ｂ）金属イオン封鎖剤と、（ｃ）陰イオン界面活性剤とを含む組成物を基材に対して用いて基材を熱水で抽出し、基材を乾燥させるクリーニングおよび再適用システムが開示されている。（特許文献３を参照。）
【００１８】
また特表２００３−５２３４７９号公報には、約５０ｗｔ％〜約９８ｗｔ％の水、約０．０５ｗｔ％〜約２ｗｔ％の少なくとも１種の溶媒、及び０〜約１ｗｔ％の少なくとも１種の界面活性剤、及び緩衝のための少なくとも１種のアルカリ化合物を含有するカーペット清浄化組成物で、溶液が乾燥したときカーペット上に粘着性の残留物を残さない新しいポリマー乳化剤を含有するカーペット汚れ除去組成物が開示されている。（特許文献４を参照。）
【００１９】
さらにまた、特表平１０−５０９１９１号公報には、キレート化剤を汚れ懸濁ポリカルボキシレートまたはポリアミンポリマーと組み合わせて含む組成物をカーペットに適用し、前記カーペットを摩擦しおよび／またはブラッシングし、前記組成物を乾燥させた後、前記カーペットから除去するカーペットのクリーニング方法が開示されている。（特許文献５を参照。）
【００２０】
さらには、同様の再汚染防止の目的で、コロイダルシリカや微粉末状のフュームドシリカを用い、残留洗剤のベタつきを抑え汚染防止することを目的とした特許出願としては、  特開昭４６−２９３４号公報にＡ．水溶性有機界面活性剤、Ｂ．高級脂肪性脂肪アルコール及び、Ｃ．水性媒質中の微細に分割された水不溶性珪酸質物質から成る絨毯及びその類似物を洗う為の洗浄用組成物で、Ｃ．の水不溶性珪酸質物質がコロイド状シリカである洗浄用組成物及び方法が開示されている。（特許文献６を参照。）
【００２１】
また、特開昭６１−１６２６００号公報には界面活性剤とコロイダルシリカ及び（または）シリカ粉末とを混合してなる織物用洗浄剤組成物が開示されており（特許文献７を参照。）、特開２００２−２８５１９４号公報にはケイ酸塩含有の新水性ミクロ分散性粒子を含有し、前記粒子がコロイド状のシリカゲル、コロイド状のシリカゾル、ヘクトライト、サポナイトまたはこれらの混合物であるケイ酸塩含有洗剤および洗浄剤が開示されている。（特許文献８を参照。）
【特許文献１】特公昭５７−２９５１９号公報
【特許文献２】特表平１０−５０１８４５号公報
【特許文献３】特表２００３−５２５９５０号公報
【特許文献４】特表２００３−５２３４７９号公報
【特許文献５】特表平１０−５０９１９１号公報
【特許文献６】特開昭４６−２９３４号公報
【特許文献７】特開昭６１−１６２６００号公報
【特許文献８】特開２００２−２８５１９４号公報
【発明の開示】
【発明が解決しようとする課題】
【００２２】
しかしながら、これらの特許文献にみられる技術において、例えばアクリル系重合体やスチレンアクリル共重合体などのポリマー類を主体とした組成物では、ポリマーによる皮膜化によって界面活性剤の残留分のベタつきは抑えられて、再汚染防止を抑制できる。一方ポリマーだけでは、皮膜化が過剰となるため、その結果、カーペット繊維に残留していた界面活性剤が皮膜状に固着してしまい、汚れを抱き込んだまま堆積し、真空掃除機では除去しにくくなる。
そして、ポリマーによる皮膜化が弱過ぎると、界面活性剤のベタ付きを抑えきれずに、その後の歩行によるカーペットの再汚染の原因になることがある。
【００２３】
また、コロイダルシリカや微粉末状のシリカを主成分とした組成物では、界面活性剤によるベタつきは抑えられるが、シリカだけでは汚れを抱き込んで、皮膜状に乾燥固化することができないために所望の洗浄効果が得られない。
さらに単にアクリル系重合体やスチレンアクリル共重合体などのポリマー類とコロイダルシリカや微粉末状のシリカを組み合わせただけの組成物では貯蔵安定性に乏しい。
【００２４】
本発明のカーペット用洗浄剤組成物（以下、本洗浄剤組成物という）は、このような事情に鑑みなされたもので、汚染したカーペットに噴霧し、皮膜状に乾燥固化させた後、ブラシ付きの真空掃除機を用いて、カーペットの汚れを内包し皮膜状に乾燥固化した本洗浄剤組成物（以下、乾燥皮膜という）を、粉砕し、吸引除去する。このため煩雑なプレコンディショニング作業や電気ポシッシャーによる洗浄作業、およびエクストラクションマシンによる洗浄、すすぎ作業等を行わなくても、汚れを取り除くことができる簡便なカーペット用洗浄剤組成物およびそれを用いたカーペットの維持管理方法を提供することにある。
【課題を解決するための手段】
【００２５】
上記の目的を達成するため、本発明は（Ａ）平均分子量（Ｍｗ）が２，０００〜３０，０００でガラス転移点（Ｔｇ）が５０〜１５０℃であるアルカリ可溶性樹脂０．１〜２０質量％、（Ｂ）コロイダルシリカを固形分として０．０１〜１０質量％、（Ｃ）界面活性剤０．１〜１０質量％、および（Ｄ）水を含有し、ＪＩＳ  Ｚ−８８０２：１９８４「ｐＨ測定方法」におけるｐＨが６〜９であるカーペット用洗浄剤組成物を第１の要旨とする。
【００２６】
また、本発明は表面張力が３０ｄｙｎ／ｃｍ以下であるカーペット用洗浄剤組成物を第２の要旨とする。
【００２７】
本発明のカーペット用洗浄剤組成物の原液または水で希釈した希釈洗浄液をカーペット表面に噴霧する行程と、カーペット用ブラシを用いてブラッシングし、カーペットの汚れを該原液または希釈洗浄液に内包させる行程と、該原液または希釈洗浄液の乾燥後に、カーペットの毛足の表面で汚れを内包して乾燥固化した組成物をブラシ付きの真空掃除機を用いて吸引除去する行程を含む維持管理方法であることを第３の要旨とする。
【００２８】
ブラシを有するカーペット洗浄機により、本発明のカーペット用洗浄剤組成物の原液または水で希釈した希釈洗浄液をカーペット表面に噴霧しながら、ブラッシングしカーペットの汚れを該原液または希釈洗浄液に内包させる行程と、カーペット表面における該原液または希釈洗浄液の乾燥後に、カーペットの毛足の表面で汚れを内包して乾燥固化した組成物をブラシを有するカーペット洗浄機によって吸引除去する行程を含むカーペットの維持管理方法であることを第４の要旨とする。
【００２９】
そして、本発明のカーペット用洗浄剤組成物の原液または水で希釈した希釈洗浄液をカーペット表面に噴霧し、ポリッシャーに装着されたマイクロファイバーパッドにより、カーペットの汚れを該原液または希釈洗浄液に内包させる行程と、カーペット表面における該原液または希釈洗浄液の乾燥後に、カーペットの毛足の表面で汚れを内包して乾燥固化した組成物をブラッシング機構を兼ね備えた真空掃除機によって吸引除去する工程を含むカーペットの維持管理方法であることを第５の要旨とする。
【発明の効果】
【００３０】
本発明によると、カーペット繊維に付着、および堆積する汚れに噴霧し、ブラシ付き掃除機で吸引、除去するだけで、煩雑で労力の掛かるエクストラクションマシンによるすすぎ工程を行わなくても優れた洗浄効果と再汚染防止効果を有するとともに、優れた貯蔵安定性や抑泡性等を有する。
【００３１】
また、この組成物を用いたカーペットの維持管理方法においては、洗浄剤の噴霧量がおおよそ２０〜６０ｇ／ｍ２と従来と比較して少ない量であるので、通常の雰囲気下であれば２０〜３０分程度の乾燥時間でカーペットは乾燥し、掃除機を掛けることができるとともに歩行が可能となる。また、作業時間、作業効率が大幅に向上し、作業員の労力や作業コストを低減できる。
【発明を実施するための最良の形態】
【００３２】
上記の目的を達成するため、鋭意検討した結果、本洗浄剤組成物を見出した。すなわち、本発明のカーペット用洗浄剤組成物は、（Ａ）平均分子量（Ｍｗ）が２，０００〜３０，０００でガラス転移点（Ｔｇ）が５０〜１５０℃であるアルカリ可溶性樹脂０．１〜２０質量％、（Ｂ）コロイダルシリカを固形分として０．０１〜１０質量％、（Ｃ）界面活性剤０．１〜１０質量％、および（Ｄ）水を必須成分として含有し、ＪＩＳ  Ｚ−８８０２：１９８４「ｐＨ測定方法」におけるｐＨが６〜９であることを特徴とする。
【００３３】
洗浄の原理としては、まずカーペット用洗浄剤組成物は、界面活性剤の作用によって、該組成物がカーペット繊維に付着している汚れに湿潤、浸透する。汚れに浸透した組成物が汚れとともに乾燥することで、汚れを包含して乾燥した皮膜を形成する。このとき、平均分子量２，０００〜３０，０００（Ｍｗ）のアルカリ可溶性樹脂は皮膜化（乾燥皮膜の形成）を促進する作用を示し、コロイダルシリカは、本洗浄剤組成物が界面活性剤を含有することによる乾燥皮膜のベタつきを抑える。
【００３４】
本発明は、上記のアルカリ可溶性樹脂とコロイダルシリカ、および界面活性剤を最適な比率で含有することにより、上記の効果を得るに至った。
【００３５】
アクリルモノマーやスチレンモノマーを界面活性剤で乳化重合し、分子量が数十万（Ｍｗ）以上であるポリマーエマルジョンの場合は、ポリマー粒子としてそのまま乾燥するために、汚れを包含することができず洗浄力を発揮できないうえ、ポリマー粒子を掃除機で充分に回収できなかった場合には、その残渣分の影響で、カーペットが白っぽく見えてしまい、カーペットの美観を損なうものとなる。
【００３６】
本発明に用いられる上記（Ａ）成分のアルカリ可溶性樹脂としては、スチレン−アクリル酸共重合体、スチレン−メタクリル酸共重合体、スチレン−αメチルスチレン−アクリル酸共重合体、スチレン−αメチルスチレン−メタクリル酸共重合体、スチレン−アクリル酸エステル−アクリル酸共重合体、スチレン−メタクリル酸エステル−アクリル酸共重合体，スチレン−メタクリル酸エステル−メタクリル酸共重合体、スチレン−αメチルスチレン−アクリル酸エステル−アクリル酸共重合体、スチレン−αメチルスチレン−メタクリル酸エステル−アクリル酸共重合体、スチレン−αメチルスチレン−メタクリル酸エステル−メタクリル酸共重合体、アクリル酸エステル−アクリル酸共重合体、メタクリル酸エステル−アクリル酸共重合体、メタクリル酸エステル−メタクリル酸共重合体、スチレン−無水マレイン酸共重合体、ジイソブチレン−無水マレイン酸共重合体、ロジン変性マレイン酸、シェラック等があげられる。これらは単独で用いても、２種以上を組み合わせて用いてもよい。
【００３７】
そして、上記アルカリ可溶性樹脂は、ガラス転移温度（Ｔｇ）が５０〜１５０℃、平均分子量（Ｍｗ）が２，０００〜３０，０００でなければならない。特に、他成分との組み合わせの容易性や産業上の入手のし易さの点から、スチレン−アクリル酸共重合体、スチレン−メタクリル酸共重合体、スチレン−アクリル酸共重合体、スチレン−メタクリル酸共重合体、スチレン−αメチルスチレン−アクリル酸共重合体、スチレン−αメチルスチレン−メタクリル酸共重合体、スチレン−アクリル酸エステル−アクリル酸共重合体、スチレン−メタクリル酸エステル−アクリル酸共重合体，スチレン−メタクリル酸エステル−メタクリル酸共重合体、スチレン−αメチルスチレン−アクリル酸エステル−アクリル酸共重合体、スチレン−αメチルスチレン−メタクリル酸エステル−アクリル酸共重合体、スチレン−αメチルスチレン−メタクリル酸エステル−メタクリル酸共重合体を用いることが好適である。
【００３８】
なお、上記アルカリ可溶性樹脂のガラス転移温度（Ｔｇ）が、５０℃未満である場合には、柔らかすぎてカーペットに固着してしまうとともに乾燥被膜の崩壊性に乏しいものとなる。一方、１５０℃を超えると、アルカリ可溶性樹脂の重合が困難なものとなる。そしてまた、平均分子量（Ｍｗ）が、３０，０００を超えると、アルカリ可溶性に劣り、また粘度が著しく高くなったり、ゲル状になったりして好ましくない。
このため、ガラス転移温度（Ｔｇ）および平均分子量（Ｍｗ）は、上記の範囲に設定することが必要である。
【００３９】
そして、上記（Ａ）成分のアルカリ可溶性樹脂は、本発明のカーペット用洗浄剤組成物中に０．１〜２０質量％の範囲で配合される。すなわち、０．１％未満の配合量では、組成物の皮膜化には至らず所望の効果が発揮できない上、界面活性剤のベタつきは抑えられない。
【００４０】
一方、上記（Ａ）成分のアルカリ可溶性樹脂は２０質量％を超えて配合すると皮膜強度が大き過ぎてカーペット繊維に皮膜が固着してしまい掃除機で回収できなくなってしまう。さらにはコロイダルシリカの安定性を損ねてシリカ（二酸化ケイ素）の分離、沈降の原因となる。そのため上記（Ａ）成分のアルカリ可溶性樹脂は、上記範囲の中でも特に０．２〜１０質量％が好ましく、さらに好ましくは０．３〜５質量％である。
【００４１】
上記アルカリ可溶性樹脂の製造方法については、特に制限はないが、乳化重合法、溶液重合法、塊状重合法を採用することが好ましい。
【００４２】
乳化重合法によりアルカリ可溶性樹脂を製造するには、以下に述べるような乳化剤、重合開始剤等を使用して行われる。
【００４３】
上記乳化剤としては、ジアルキルコハク酸ナトリウム、アルキルベンゼンスルホン酸ナトリウム、アルキル硫酸ナトリウム、ポリオキシエチレンアルキルフェニルエーテル硫酸ナトリウム、アルキルジフェニルエーテルスルホン酸ナトリウム、ポリオキシエチレンアルキル硫酸ナトリウム、ジアルキルスルホ琥珀酸ナトリウム、ナフタレンスルホン酸のホルマリン縮合物等のアニオン界面活性剤、ポリオキシエチレンアルキルエーテル、ポリオキシエチレンアルキルフェニルエーテル、ポリエチレングリコール脂肪酸エステル、ソルビタン脂肪酸エステル等のノニオン界面活性剤、スチレンスルホン酸ナトリウム、アルキルアリルスルホン酸ナトリウム、アルキルアリルスルホ琥珀酸ナトリウム、ポリオキシエチレンアルキルアリルグリセリンエーテルサルフェート、ポリオキシエチレンアルキルフェノールアルキルグリセリンエーテルサルフェート等の反応性乳化剤、ポリビニルアルコール、ポリアクリル酸、水溶性アクリル酸エステル共重合体、水溶性メタクリル酸エステル共重合体、スチレン−マレイン酸共重合体およびその塩、スチレン−アクリル酸共重合体、スチレン−メタクリル酸共重合体およびそれらの塩、ポリアクリルアミド共重合体、ポリメタクリルアミド共重合体等の高分子界面活性剤等が使用でき、これらは単独でまたは２種以上併用して使用することができる。
【００４４】
上記乳化剤の望ましい使用量は、通常単量体１００質量部当たり０．０５〜５質量部である。乳化剤の使用量が０．０５質量部未満では乳化性に乏しく、一方５質量部を超えると耐水性に劣ることがある。
【００４５】
また、上記重合開始剤としては、過硫酸カリウム、過硫酸アンモニウム、過硫酸ナトリウム等の過硫酸塩、過酸化水素、ベンゾイルペルオキシド、ｔ−ブチルヒドロキシペルオキシド等の過酸化物などが使用できる。これらは亜硫酸水素ナトリウム、ピロ重亜硫酸ナトリウム、アスコルビン酸、ナトリウムホルムアルデヒドスルホキシレート等の還元剤を併用したレドックス系として使用してもよい。
【００４６】
より具体的には、例えば、水性媒体中に上記単量体、乳化剤、重合開始剤、還元剤、連鎖移動剤、キレート化剤、ｐＨ調整剤等を添加し、温度３０〜１００℃で１〜３０時間程度重合反応を行うこと等によりアルカリ可溶性樹脂を得ることができる。
また、本発明においては、アルカリ可溶性樹脂およびポリマーエマルジョンは同様のモノマーを原料として合成されたものであるが、平均分子量が２，０００〜３０，０００のものを「アルカリ可溶性樹脂」と定義し、平均分子量３０，０００を超えるものを「ポリマーエマルジョン」と定義している。なお、上記アルカリ可溶性樹脂の外観は、アルカリで中和した後の溶液において透明であり、また、ポリマーエマルジョンの外観は、重合後、アルカリ中和した後の溶液において半透明〜乳白色である。
【００４７】
本発明に用いられる上記（Ｂ）成分のコロイダルシリカとしては、３〜５００ナノメーター（ｎｍ）の微粒子状のシリカ（二酸化ケイ素）を水中に分散したものが好適に用いられる。コロイダルシリカは固形分として、本発明のカーペット用洗浄剤組成物中に０．０１〜１０質量％の範囲で配合される。すなわち、０．０１質量％未満の配合量では、平均分子量２，０００〜３０，０００（Ｍｗ）のアルカリ可溶性樹脂の皮膜を脆くすることができず、皮膜がカーペット繊維に固着してしまう原因となる。なかでも好ましい配合量は、皮膜を脆くする効果の維持と、組成物中でのコロイダルシリカの安定性の維持という点から、上記範囲の中でも０．０２〜５質量％であり、より好ましくは０．０３〜２．５質量％である。
【００４８】
本発明に用いられる上記（Ｃ）成分の界面活性剤は、洗浄力を付与するために必須の成分で、少なくとも次に挙げるうちの１種類以上のものを配合することができる。（Ｃ）成分の界面活性剤としては次のものが考えられる。非イオン界面活性剤では、ポリオキシアルキレンアルキルエーテル、ポリオキシアルキレンアルケニルエーテル、ポリオキシアルキレンアルキルフェニルエーテル、アルキルポリグルコシド、脂肪酸ポリグリセリンエステル、脂肪酸ショ糖エステル、脂肪酸アルカノールアミド等があげられる。両性界面活性剤では、アルキルカルボキシベタイン、アルキルスルホベタイン、アルキルヒドロキシスルホベタイン、アルキルアミドベタイン、イミダゾリニウムベタイン、アルキルジアミノエチルグリシン、ジアルキルジアミノエチルグリシン、アルキルアミンオキサイド、アルキルエーテルアミンオキサイド、アミドアミンオキサイド等があげられる。
【００４９】
また陰イオン界面活性剤では、アルキル硫酸塩、アルキル硫酸エステル塩、アルキルベンゼン硫酸塩、アルファオレフィンスルホン酸塩、メタキシレンスルホン酸塩、パラキシレンスルホン酸塩、クメンスルフォン酸塩、ドデシルジフェニルオキサイドジスルホン酸塩等があげられる。これらの陰イオン界面活性剤の対イオンは、ナトリウム、マグネシウム、アンモニウム、エタノールアミン等である。
本発明においては、これらの界面活性剤のうち、非イオン界面活性剤や両性界面活性剤は、一般的にカーペットに散布して放置しても、乾燥した状態にはならず高粘性な液状でベタつきがあるため、カーペットに残留した際、再汚染の原因になりやすいので、極力少なくする必要がある。
【００５０】
その点、陰イオン界面活性剤は、カーペットに散布した際のベタつきが非イオン界面活性剤や両性界面活性剤より少ないので好ましい。特に、エチレンオキサイドが付加されていないラウリル硫酸ナトリウム、ラウリル硫酸アンモニウム、ラウリル硫酸マグネシウム、ドデシルジフェニルオキサイドジスルホン酸ナトリウム、クメンスルホン酸ナトリウムなどは、カーペットに散布した際に、固形物および半固形物の乾燥状態になりベタつきが少なく本発明の界面活性剤としてより好ましい。
なお陽イオン界面活性剤は、本発明のカーペット用洗浄剤組成物の平均分子量（Ｍｗ）が２，０００〜３０，０００でガラス転移点（Ｔｇ）が５０〜１５０℃であるアルカリ可溶性樹脂と錯体を形成して分離しやすいため配合できない。
【００５１】
さらに、本発明のカーペット用洗浄剤組成物は、カーペットに噴霧された後、ブラシ付の真空掃除機で吸引されるので、洗剤は短時間のうちにカーペット汚れに均一に浸透しなければ、洗浄ムラの発生の原因になる。
【００５２】
そこで、カーペットへの濡れ性（レベリング性）および浸透性を補足して、より効率的な噴霧が可能になるよう、少なくとも一種類以上のフッ素系界面活性剤を含有することが好ましく、該組成物の表面張力を３０ｄｙｎ／ｃｍ以下に設定することが効果的である。
【００５３】
具体的なフッ素系界面活性剤としては、電解フッ素化法から合成されるパーフルオロスルホン酸系（ＰＦＯＳ系）活性剤、テロメリゼーション法から合成されるパーフルオロカルボン酸系（ＰＦＯＡ系）活性剤、およびオリゴメリゼーション法から合成されるフッ化エチレンの多量体活性剤などがあげられる。
【００５４】
この（Ｃ）成分の界面活性剤の配合量は、本発明のカーペット用洗浄剤組成物全体に対して０．１〜１０質量％の範囲で配合される。
すなわち、０．１質量％未満の配合量では、洗浄力や被洗浄面へのレベリング性に乏しく、また１０質量％を超えて配合しても洗浄力等の向上は飽和状態になり、かつアルカリ可溶性樹脂とコロイダルシリカの機能をもってしても、ベタつきは抑えられなくなる。さらには、洗浄作業性を損ねる余分な泡立ちの原因にもなる。適切な配合量は、洗浄力とカーペットへの濡れ性（レベリング性）および浸透性およびベタつきと、過剰な泡立ちの防止という点から上記範囲の中でも０．２〜５質量％が好ましく、より好ましくは０．３〜２．５質量％である。
【００５５】
また本発明は、（Ｄ）水を配合することができる。この（Ｄ）成分の水としては、純水、イオン交換水、軟水、蒸留水、水道水等があげられる。これらは、各々単独で用いても２種以上を併用してもよい。なお、上記「水」は、本発明のカーペット用洗浄剤組成物を構成する各成分に由来する結晶水や水溶液の形で含まれる水と、外から加えられる水との総和であり本組成物全体が１００％となるようバランスとして配合される。
【００５６】
本発明のカーペット用洗浄剤組成物は、ｐＨに着目し、組成物の安定性を維持することや、作業上および環境への安全性や被洗浄物の素材に悪影響を及ぼさないことなどを考慮して以下の物質をｐＨ調整剤として適量添加し、ｐＨが６〜９、好ましくは７〜８とすることで貯蔵安定性が向上することを見いだした。ｐＨ調整に用いられるアルカリ性を呈する物質としては、水酸化ナトリウム、水酸化カリウム等の水酸化アルカリ、炭酸ナトリウム、炭酸カリウム等の炭酸塩、ケイ酸ナトリウム、ケイ酸カリウム等のケイ酸塩、モノエタノールアミン、ジエタノールアミン等のアミン、アンモニア等が用いられる。
【００５７】
よって、本組成物のｐＨ（ＪＩＳ  Ｚ−８８０２：１９８４「ｐＨ測定方法」による）は、２５℃で、６〜９に設定されていることを特徴とする。
【００５８】
さらに本組成物には、本発明の目的を阻害しない範囲で、任意に香料、染料、増粘剤、殺菌剤、防腐剤等を配合することができる。
なお、本発明のカーペット用洗浄剤組成物は、カーペット表面の汚れの度合いに応じて、原液ないしは、水またはぬるま湯で１０〜２０倍に希釈して使用することができる。また、水で希釈した希釈洗浄液は２０〜６０ｇ／ｍ２、好ましくは２０〜４０ｇ／ｍ２の割合でカーペットに噴霧される。
【００５９】
これらの必須成分、および任意成分を用いて得られる本発明のカーペット用洗浄剤組成物は、被洗浄物の素材を傷めることなく、カーペット繊維に付着、および堆積する汚れに噴霧し、ブラッシング等を行い、カーペットの汚れを洗浄液に内包させ、さらにカーペット洗浄面を乾燥させた後、皮膜化し汚れを内包した該組成物をブラシ付きの真空掃除機等で吸引、除去するだけで洗浄作業が行えるため、従来より簡便に汚れを取り除くことができ、洗浄後のカーペットを清浄に仕上げることができる。
【００６０】
また、本発明のカーペット用洗浄剤組成物を用いてカーペット表面を洗浄する方法としては、原則として上記のように、組成物をカーペット表面に噴霧し、ブラッシングを行い、カーペット洗浄面を乾燥させた後、皮膜化し汚れを内包した該組成物をブラシ付き真空掃除機で吸引、除去する作業工程があげられるが、その方法としては、例えば、
（１）広大な作業面積を洗浄するような際には、洗浄液の噴霧機構とブラッシング機構を兼ね備えた、作業効率に優れた大型の自走式カーペット洗浄機を用い、噴霧とブラッシングして、カーペットの汚れを洗浄液に内包させる工程を自動的に行い、カーペットを乾燥させた後、ブラッシング機構を兼ね備えた大型の自走式掃除機等を用いて吸引除去する工程を含む洗浄方法、
（２）中区画のカーペットを洗浄する場合には、洗浄液を電動噴霧器等で噴霧し、ポリッシャーに装着されたマイクロファイバーパッドにより、カーペットの汚れを洗浄液に内包させる工程を行い、カーペットを乾燥させた後、ブラッシング機構を兼ね備えた真空掃除機を用いて吸引除去する工程を含む洗浄方法、
（３）小区画のカーペットを洗浄する場合には、洗浄液を電動噴霧器等で噴霧して、柄つきブラシで、ブラッシングして、カーペットの汚れを洗浄液に内包させる工程を行い、カーペットを乾燥させた後、ブラッシング機構を兼ね備えた真空掃除機を用いて吸引除去する工程を含む洗浄方法、
等があげられる。
なお、上記洗浄液は、本発明のカーペット用洗浄剤組成物の原液または水等によって１０〜２０倍に希釈された希釈洗浄液が用いられる。また、上記方法（２）において、洗浄液を電動噴霧器等で噴霧し、ポリッシャーに装着されたマイクロファイバーパッドにより、カーペットの汚れを洗浄液に内包させる工程が、洗剤タンクを備えたポリッシャーを用いて、洗浄液を噴霧しながらブラッシングして、カーペットの汚れを洗浄液に内包させるものであってもよい。さらにまた、上記方法（２）または（３）における、ブラッシング機構を兼ね備えた真空掃除機を用いて吸引除去する工程が、柄つきブラシを用いてブラッシングしてから、通常の真空掃除機を用いて吸引除去するものであってもよい。
【００６１】
これらの維持管理方法において、本発明のカーペット用洗浄剤組成物の原液または希釈洗浄液は、通常、噴霧量として２０〜６０ｇ／ｍ２の割合で用いられるが、特に、大型の自走式カーペット洗浄機を用いた場合にあっては、噴霧量がおよそ２０〜４０ｇ／ｍ２と少ない割合で用いることができ、通常の雰囲気下であれば２０〜３０分程度の乾燥時間でカーペットは乾燥し、掃除機を掛けることができるので、限られた維持管理時間において作業効率が大幅に向上し、作業員にとっても簡便な維持管理法なために作業労力が低減できる。
【実施例】
【００６２】
以下、本発明のカーペット用洗浄剤組成物について、実施例と比較例により本発明を詳細に説明する。なお、本発明はこれらに限定されるものではない。
【００６３】
〔実施例１〜１２、比較例１〜１４〕
後記の表１〜表５に示す組成のカーペット用洗浄剤組成物（以下、単に「供試洗浄剤組成物」という）を調製し、貯蔵安定性、再汚染防止性、乾燥皮膜の崩壊性、表面張力、洗浄性１、抑泡性および洗浄性２の７項目について評価した。その結果を後記の表１〜表５に併せて示す。なお、表中の組成は、水酸化ナトリウム水溶液を用いてアクリル系樹脂を中和、溶解するとともに組成物全体のｐＨ調整機能を果たし、ｐＨ値を６〜９に設定している。
なお、成分（Ａ）〜（Ｄ）の総和は、全体で１００質量％となっている。
各項目の試験方法は、以下に示すとおりである。
【００６４】
（１）貯蔵安定性
〔試験方法〕
供試洗浄剤組成物２００ｍＬを２５０ｍＬの透明ポリエチレン瓶に入れ、恒温槽（小林理化器械工業社製、形式：ＫＡＸ−７３４）により５０℃の雰囲気下、冷凍冷蔵庫（ホシザキ社製、形式：ＨＲＦ−９０Ｐ）により５℃の雰囲気下のそれぞれ１ケ月間保管した後、その外観を目視により観察し、下記の判定基準で貯蔵安定性を評価した。
〔判定基準〕
◎：１ケ月後、分離や沈殿、白濁等の外観変化は一切みられない。
○：２週間後、分離や沈殿、白濁等の外観変化がわずかにみられた。
△：１週間後、分離や沈殿、白濁等の外観変化がわずかにみられた。
×：１日以内に、分離や沈殿、白濁等の外観変化がみられた。
【００６５】
（２）再汚染防止性
〔試験方法〕    
供試洗浄剤組成物を固形分として０．２〜０．３ｇ／ｃｍ２になるように、直径６０ｍｍのステンレス製の皿に入れ、そのまま１０日間以上、室温下に放置した。放置後、皿に残った洗浄剤組成物の乾燥皮膜の状態を目視により観察して、下記の判定基準で再汚染防止性を評価した。
〔判定基準〕
◎：室温下に１０日間以上放置しても湿気等の影響は受けず、乾燥皮膜はドライ状態        でベタ付きは一切みられなかった。
○：室温下に１０日間以上放置したら、湿気等の影響を少し受けて、乾燥皮膜は僅か        にベタついていた。
△：室温下に１０日間以上放置したら、湿気等の影響を受けて、乾燥皮膜はかなりベ        タついていた。
×：洗浄剤組成物の揮発成分が蒸散した時点（放置２〜３日後）で、すでに乾燥皮膜        は液状でベタついていた。
洗浄剤組成物の乾燥皮膜がベタつくと、洗浄後の歩行によりカーペットが再汚染されると判断できる。
【００６６】
（３）洗浄剤組成物の乾燥皮膜の崩壊性
〔試験方法〕
上記（２）の再汚染防止性試験で得られた洗浄剤組成物の乾燥皮膜の表面を、プッシュプルゲージ（ＣＰＵ  ＧＡＵＧＥ９２００  Ｓｅｒｉｅｓ、ＡＩＫＯＨ  ＥＮＧＩＮＥＥＲＩＮＧ社製）の測定部の先端で斜めに押し付けて、皮膜が崩壊するまでに要した荷重（ｋｇ）を測定し、下記の判定基準で皮膜の崩壊性を評価した。なお、比較例品１３はポリマーエマルジョンを含有する例であるが、皮膜を形成せず粉化するために本試験に供することができなかった。
〔判定基準〕
◎：崩壊に至る荷重は、１ｋｇ未満であった。
○：崩壊に至る荷重は、１ｋｇ以上２ｋｇ未満であった。
△：崩壊に至る荷重は、２ｋｇ以上４ｋｇ未満であった。
×：崩壊に至る荷重は、４ｋｇ以上を要した。または、皮膜状にならず液状でベタつ        いて測定不能であった。
崩壊に至る荷重が少ない皮膜程、ブラシ付き掃除機によるブラッシング力により、容易に粉状に崩壊し、掃除機による回収性は良好と判断できる。
【００６７】
（４）表面張力
〔試験方法〕
供試洗浄剤組成物の表面張力を、組成物の液温を２５℃に調整し、表面張力計（Ａｕｔｏｍａｔｉｃ  Ｔｅｎｓｉｏｍｅｔｅｒ  ＲＴＭ−１０１  ＲＩＧＯＳＨＡ  ＆Ｃｏ．Ｌｔｄ製）で測定し、下記の判定基準で洗浄力を評価した。
〔判定基準〕
○：表面張力の測定値は、３０ｄｙｎ／ｃｍ以下であった。
×：表面張力の測定値は、３０ｄｙｎ／ｃｍより上であった。
３０ｄｙｎ／ｃｍ以下であれば、カーペットへの濡れ性（レベリング性）および浸透性が確保でき、より効率的な噴霧が可能と判断できる。
【００６８】
（５）洗浄性１
〔試験方法〕
ナイロン製タイルカーペット（グランドアートＧＡ１００  ＧＡ１２５，寸法：５０×５０ｃｍ、色調：淡色グレー、東リ社製）に下記の成分からなる人工汚垢を散布（散布量：１００〜１２０ｇ／ｍ２の割合）して、エチケットブラシで軽く均一にこすりつけ、室温下に２４時間放置した。放置後、試験タイル片を試験片と同サイズのタイルカーペット施工した床面に貼り付けた。
その後、供試洗浄剤組成物が充填された容器を、自走式の洗浄剤噴霧機構とブラッシング機構を有するカーペット洗浄機（シャリオスターリニュー、米国ウィンザー社製）の洗浄剤供給部に装着して、下記の洗浄条件で洗浄剤組成物をカーペットに噴霧しブラッシング洗浄した後、室温下に３０分放置乾燥してから、さらに自走式のブラシ機構を有するカーペット掃除機（シャリオスターバキューム、米国ウィンザー社製）により、下記の除塵条件でブラッシング掃除機掛けをした。
〔人工汚垢の組成〕
ＪＩＳ  Ｌ  １０２３の８．１に規定された人工汚垢：
ピートモス２０ｇ、ポルトランドセメント８．５０ｇ、はくとう土８．５０ｇ、カーボンブラック０．０５ｇ、フェライト用酸化鉄（ＩＩＩ）０．０７ｇ、ヌジョール４．３８ｇ
〔自走式カーペット洗浄機の洗浄条件〕
洗浄走行速度：２．５〜５．６ｋｍ／ｈｒ、洗剤散布量：約３０ｇ／ｍ２の割合、ブラシ回転数：８００ｒｐｍ（ツインローターブラシ式）ブラシモーター：５６０Ｗ×２、清掃幅：６１ｃｍ
〔自走式カーペット掃除機の除塵条件〕
洗浄走行速度：２．５〜５．６ｋｍ／ｈｒ、ブラシ回転数：１，７２５ｒｐｍ、ブラシモーター：５６０Ｗ、吸引モーター：５６０Ｗ
洗浄性１は、上記の試験方法により、目視で下記の判定基準で評価した。
〔判定基準〕
◎：試験タイル片の人工汚垢は、洗浄剤組成物を用いた上記の試験方法を、３回以内        繰り返すことにより除去できた。  
○：試験タイル片の人工汚垢は、洗浄剤組成物を用いた上記の試験方法を、４〜６回        繰り返すことにより除去できた。
△：試験タイル片の人工汚垢は、洗浄剤組成物を用いた上記の試験方法を、７〜９回        繰り返すことにより除去できた。
×：試験タイル片の人工汚垢は、洗浄剤組成物を用いた上記の試験方法を、１０回以        上繰り返しても除去できなかった。
【００６９】
（６）抑泡性
〔試験方法〕
上記（５）洗浄性１：供試組成物を用いた洗浄性試験の自走式カーペット洗浄機によるブラッシング洗浄において、泡立ちの状態を目視で観察し、下記の判定基準により抑泡性を評価した。
〔判定基準〕
◎：泡立ちは全く見られず、ブラッシング洗浄に支障をきたすようなことはなかった        。
○：僅かな泡立ちがみられたが、ブラッシング洗浄に支障をきたすようなことはなか        った。
△：かなり泡立ち、ブラッシング洗浄に支障をきたした。
×：著しい発泡現象が認められ、ブラッシング洗浄ができなかった。
【００７０】
（７）洗浄性２
〔試験方法〕
ナイロン製タイルカーペット（グランドアートＧＡＧＡ１２５、寸法：縦５０ｃｍ×横５０ｃｍ、色調：淡色グレー、東リ社製）に下記の成分からなる人工汚垢を１００〜１２０ｇ／ｍ２の割合で散布し、エチケットブラシで軽く均一にこすりつけ、室温下にて２４時間放置した。放置後、４枚の試験タイル片（１平方メートル分）を試験タイル片と同面積のタイルカーペット施工フロアに貼り付けた。
その後、供試洗浄剤組成物の原液、または水で希釈した洗浄剤希釈液を電池式噴霧器（ＧＴ−５、５Ｌサイズ、工進社製）に充填し、上記試験タイル片の表面に約５０ｇ／ｍ２の割合の噴霧量にて均一に噴霧する。同様に、マイクロファイバーパッド（パッドの直径１５インチ、３８ｃｍ、クリンテック小泉社製）の表面にも、該噴霧器で約５０ｇ／ｍ２の割合の噴霧量にて均一に噴霧する。
つぎに、パッド台を装備する電気ポリッシャー（型式：ＣＭＰ１４０Ｅ、アマノ武蔵電機社製）に、上記を噴霧を施したマイクロファイバーパッドを装着し、下記の洗浄条件で均一に３往復のポリシャー洗浄した後、室温下にて３０分間放置乾燥させてから、さらにブラシ付きの真空掃除機（製品名：ジェイセンサー１２、米国ウィンザー社製）により、下記の除塵条件でブラッシング掃除機掛けをした。
なお、供試洗浄剤組成物の原液または水で希釈された希釈洗浄液において、実施例１〜４および比較例１は原液で、また、実施例５、実施例６、実施例１０〜１２、比較例２、比較例３および比較例７〜１２は１０倍希釈洗浄液で、そして、実施例７〜９、比較例４〜６、比較例１３および比較例１４は２０倍希釈洗浄液として洗浄性試験２に供した。
〔人工汚垢の組成〕
人工汚垢の組成は、ＪＩＳ  Ｌ−１０２３の８．１に規定された人工汚垢：
ピートモス２０ｇ、ポルトランドセメント８．５０ｇ、はくとう土８．５０ｇ、カーボンブラック０．０５ｇ、フェライト用酸化鉄（ＩＩＩ）０．０７ｇ、ヌジョール４．３８ｇ
〔ポリシャー洗浄条件〕
１４インチポリッシャー、１５インチパッド適用型、本体重量４２ｋｇ、回転数１６０ｒｐｍ（５０ヘルツ）、消費電力１３００Ｗ
〔ブラシ付きの真空掃除機の除塵条件〕
ブラシ回転数：２７００ｒｐｍ、バキュームモーター：８５０Ｗ、清掃幅：３１ｃｍ
洗浄性２は、上記の試験方法により、目視で下記の判定基準で評価した。
〔判定基準〕
◎：試験タイル片の人工汚垢はきれいに除去されており、洗浄ムラもなく、きれいに仕上がった。
○：試験タイル片の人工汚垢は、幾分か残留し、僅かな洗浄ムラが認められた。
△：試験タイル片の人工汚垢は、かなり残留し、洗浄ムラが目立った。
×：試験タイル片の人工汚垢は、全く除去できなかった。
【００７１】
なお、以下の表１〜表５に示した成分の詳細は以下のとおりであり、表中の数値は、有り姿で示したものである。
〔Ａ成分〕
・アルカリ可溶性樹脂１：
（ガラス転移点５０℃、分子量８，１００、酸価５３）
商品名：ジョンクリル６１１、ジョンソンポリマー社製
・アルカリ可溶性樹脂２：
（ガラス転移点７３℃、分子量１２，５００、酸価２１３）
商品名：ジョンクリル６７、ジョンソンポリマー社製
・アルカリ可溶性樹脂３：
（ガラス転移点１０２℃、分子量１６，５００、酸価２４０）
商品名：ジョンクリル６９０、ジョンソンポリマー社製
・アルカリ可溶性樹脂４：
（ガラス転移点１２８℃、分子量１７，２５０、酸価２１４）
商品名：ＨＤＰ−６７１、ジョンソンポリマー社製
・アルカリ可溶性樹脂５：（比較例）
（ガラス転移点１９℃、分子量６０，０００、酸価６５）
商品名：ＰＤＸ−６１０２Ｂ  水溶液品、不揮発分２４．５％ジョンソンポリマー社製
【００７２】
〔Ｂ成分〕
・コロイダルシリカ１：
（粒子径４〜６ナノメーター）
商品名：スノーテックスＸＳ、不揮発分：２０％、日産化学工業社製）
・コロイダルシリカ２：
（粒子径１０〜２０ナノメーター）
商品名：スノーテックスＣ、不揮発分：２０％、日産化学工業社製）
・コロイダルシリカ３：
（粒子径７０〜１００ナノメーター）
商品名：スノーテックスＺＬ、不揮発分：４０％、日産化学工業社製）
・コロイダルシリカ４：
（粒子径４５０ナノメーター）
商品名：スノーテックスＭＰ−４５４０Ｍ、不揮発分：４０％、日産化学工業社製）
【００７３】
〔Ｃ成分〕
・界面活性剤１：
（ドデシルジフェニルオキサイドジスルホン酸ナトリウム）
商品名：ダウファックス２Ａ−１、有効濃度：４６％、ダウケミカル社製
・界面活性剤２：
（炭素数Ｃ１２のラウリル硫酸ナトリウム）
商品名：テイカライトＮ２０３０、有効濃度：３０％、テイカ社製）
・界面活性剤３：
（クメンスルホン酸ナトリウム）
商品名：テイカトックスＮ５０４０、有効濃度：４０％、テイカ社製）
・界面活性剤４：
（炭素数Ｃ１２のポリオキシエチレンポリオキシプロピレンラウリルエーテル）
商品名：ＬＢ−８３、有効濃度：９９％以上、アデカ社製
・界面活性剤５：
（２−ペルフルオロアルキルエタノールとリン酸反応性物とアンモニウムの混合物、その他成分で構成されるフッ素系界面活性剤）
商品名：ゾニールＦＳＪ、有効濃度：４０％、デュポン社製
・界面活性剤６：
（４−ペルフルオロノネニルオキシベンゼンスルフォン酸ナトリウムのフッ素系界面活性  剤）
商品名：フタージエント１００、有効濃度：１００％、ネオス社製
【００７４】
〔比較例〕
アクリル系樹脂系ポリマーエマルジョン
・ポリマーエマルジョン：
（ガラス転移点９６℃、分子量２００，０００以上）
商品名：ジョンクリル７６１０、不揮発分：５２％、ジョンソンポリマー社製）
【００７５】
〔任意成分〕
・水溶性溶剤（上記の界面活性剤６の水溶化剤）：  
（ジエチレングリコールモノブチルエーテル）
商品名：ブチセノール２０、協和発酵工業社製
・アルカリ可溶性アクリル系樹脂の中和剤、ｐＨ調整剤
（水酸化ナトリウム）
商品名：苛性ソーダ劇物食添、有効濃度：２５％、東亞合成社製
【００７６】
【表１】
2008101033.tif 000002
【００７７】
【表２】
2008101033.tif 000003
【００７８】
【表３】
2008101033.tif 000004
【００７９】
【表４】
2008101033.tif 000005
【００８０】
【表５】
2008101033.tif 000006
【００８１】
実施例品１〜１２から、貯蔵安定性、再汚染防止性、乾燥皮膜の崩壊性、表面張力、洗浄性１、抑泡性および洗浄性２のいずれの試験項目においても良好な結果であることがわかる。
つまり、本発明のカーペット用洗浄剤組成物およびカーペットの維持管理方法は、平均分子量（Ｍｗ）が２，０００〜３０，０００でガラス転移点（Ｔｇ）が５０〜１５０℃であるアルカリ可溶性樹脂０．１〜２０質量％（Ａ成分）、コロイダルシリカを固形分として０．０１〜１０質量％（Ｂ成分）、界面活性剤０．１〜１０質量％（Ｃ成分）、および水（Ｄ成分）を組み合わせ、ＪＩＳ  Ｚ−８８０２：１９８４「ｐＨ測定方法」におけるｐＨを６〜９に調製することにより、被洗浄面に対して良好な再汚染防止性や洗浄効果等を発揮することがわかる。なお、実施例品のｐＨを６未満あるいは９を超えるように調整した場合には、洗浄剤組成物が分離するものが多くみられ、貯蔵安定性が乏しいものとなることが確認された。
【００８２】
また、上述の実施例（７）洗浄性２の比較例として、マイクロファイバーパッドに換えてヤーンパッド（パッドの直径３８ｃｍ、東和産業社製）を用い、当該試験方法およびその判定基準にて評価したところ、試験タイル片の人工汚垢は、かなり残留し、洗浄ムラが目立ったものとなり、所望の洗浄性２が得られないことがわかった。
一方マイクロファイバーパッドでは、該繊維がカーペット表面の汚れを捕集するとともに、本発明のカーペット用洗浄剤組成物の原液または水で希釈した希釈洗浄液が、該パッドがカーペット表面に均質に接しながらカーペットの毛足全体になじむことによって、汚れをカーペット用洗浄剤組成物の原液または希釈洗浄液に内包させる為に、所望の洗浄性が得られるものと考えられる。
【００８３】
以上のことから、本発明のカーペット用洗浄剤組成物およびカーペットの維持管理方法によって、従来のような煩雑で労力のかかるエクストラクションマシンによるすすぎ等を行う必要がなく、簡易的でかつ確実にカーペットに付着する汚れを除去できる新たなカーペット洗浄方法として好適に用いることができる。